(57)【要約】【課題】    簡単な構成で台紙なしラベル連続体に形成されたミシン目の位置を容易に認識することができるとともに、ミシン目からラベル片に切断する作業の効率が良い台紙なしラベル連続体を提供することを課題とする。  【解決手段】台紙なしラベル連続体２０は、前記ミシン目５の位置を表示する目印６が付設されているものである。詳しくは、ミシン目５の両端部から三角形状の尖端部を内向きにした目印６が印刷されている。この目印６は、三角形状、菱形状、矢印状など尖端部を有する形状のものが好適に用いられる。これら目印６の先端部がミシン目５に接するように付設するとミシン目５の位置がわかりやすいためである。また、ミシン目５に対応する目印６の数は少なくとも１つ以上付設されていれば良い。  【選択図】        図３ａ
2005215202.tif 000002
【特許請求の範囲】
【請求項１】
帯状のラベル基材と、このラベル基材の表面に形成した印刷層および剥離剤層と、このラベル基材の裏面に形成した粘着剤層と、を有し、前記ラベル基材に切れ部および非切れ部からなるミシン目を設け、このミシン目から切断することにより単葉の台紙なしラベル片を形成可能とした台紙なしラベル連続体であって、前記ミシン目の位置を表示する目印が付設されていることを特徴とする台紙なしラベル連続体。
【請求項２】
前記ミシン目は、切れ部および非切れ部を交互に形成したミシン目であり、前記切れ部および非切れ部の長さは０．２〜０．５ｍｍとし、前記切れ部および非切れ部の長さを略同等としたことを特徴とする請求項１記載の台紙なしラベル連続体。
【請求項３】
前記目印は、前記ミシン目より引き出し側に付設されていることを特徴とする請求項１乃至２記載の台紙なしラベル連続体。
【請求項４】
前記目印は、前記ミシン目に重なるように付設されていることを特徴とする請求項１乃至２記載の台紙なしラベル連続体。
【請求項５】
前記目印は、前記ラベル基材の表面側に付設されていることを特徴とする請求項１乃至４記載の台紙なしラベル連続体。
【請求項６】
前記目印は、前記ラベル基材の裏面側に付設されていることを特徴とする請求項１乃至４記載の台紙なしラベル連続体。
【発明の詳細な説明】
【技術分野】
【０００１】
本発明は、粘着剤を保護する台紙（剥離紙）を用いない台紙なしラベル連続体に関し、特にミシン目から切断することにより単葉の台紙なしラベル片を得るようにした台紙なしラベル連続体に関するものである。
【背景技術】
【０００２】
従来から、帯状のラベル基材を有し、ラベル基材の裏面に粘着剤層を設けるとともに、ラベル基材の表面に印刷層、さらに印刷層の上層にシリコンオイルなどによる剥離剤層を設けてロール状に巻回した台紙なしラベル連続体が使用されている。こうした台紙なしラベル連続体は、ミシン目を設けることによりこの部分で切断を可能とし、単葉の台紙なしラベル片とすることができる。
【０００３】
このような台紙なしラベル連続体のミシン目は、切断を容易にするためや切断面をきれいにするためにミシン目の非切れ部を短く形成し、ミシン目の切れ部に粘着剤が侵入しにくくするためにミシン目の切れ部を短く形成している。つまり、ミシン目の切れ部および非切れ部の長さを短くほぼ同等に形成している。
【０００４】
しかしながら、上述のような台紙なしラベル連続体のミシン目は、切れ部が非常に短く微細なことから目立ちにくく探す手間がかかるため、ロール状の台紙なしラベル連続体を慎重に引き出さなければならなかったり、引き出し過ぎて戻さなければならなかったり、ミシン目からラベル片に切断する作業の効率が悪いという問題があった。  
また、単葉のラベル片にさらにミシン目が設けられ、後からこのラベル片に設けられたミシン目から切り離す場合など、本来切り離すべきミシン目がわかりにくいという問題があった。
【０００５】
なお、切断が容易、かつ切断面をきれいにすることができ、粘着剤が侵入しにくくした、台紙なし帯状表示札として、切れ部および非切れ部からなるミシン目を表示札基材に形成し、ミシン目の部分において切断することができるようにした台紙なし帯状表示札であって、ミシン目の切れ部および非切れ部の大きさをほぼ同等とした以下の公報がある。
【０００６】
【特許文献１】特開平１０−３４００５０号公報。
【発明の開示】
【発明が解決しようとする課題】
【０００７】
本発明は以上のような諸問題に鑑みなされたもので、簡単な構成で台紙なしラベル連続体に形成されたミシン目の位置を容易に認識することができるとともに、ミシン目からラベル片に切断する作業の効率が良い台紙なしラベル連続体を提供することを課題とする。  
【課題を解決するための手段】
【０００８】
本発明は上記課題を解決すべく、以下に掲げる構成とした。
請求項１記載の発明の要旨は、帯状のラベル基材と、このラベル基材の表面に形成した印刷層および剥離剤層と、このラベル基材の裏面に形成した粘着剤層と、を有し、前記ラベル基材に切れ部および非切れ部からなるミシン目を設け、このミシン目から切断することにより単葉の台紙なしラベル片を形成可能とした台紙なしラベル連続体であって、前記ミシン目の位置を表示する目印が付設されていることを特徴とする台紙なしラベル連続体に関する。
また請求項２記載の発明の要旨は、前記ミシン目は、切れ部および非切れ部を交互に形成したミシン目であり、前記切れ部および非切れ部の長さは０．２〜０．５ｍｍとし、前記切れ部および非切れ部の長さを略同等としたことを特徴とする請求項１記載の台紙なしラベル連続体に関する。
また請求項３記載の発明の要旨は、前記目印は、前記ミシン目より引き出し側に付設されていることを特徴とする請求項１乃至２記載の台紙なしラベル連続体に関する。
また請求項４記載の発明の要旨は、前記目印は、前記ミシン目に重なるように付設されていることを特徴とする請求項１乃至２記載の台紙なしラベル連続体に関する。
また請求項５記載の発明の要旨は、前記目印は、前記ラベル基材の表面側に付設されていることを特徴とする請求項１乃至４記載の台紙なしラベル連続体に関する。
また請求項６記載の発明の要旨は、前記目印は、前記ラベル基材の裏面側に付設されていることを特徴とする請求項１乃至４記載の台紙なしラベル連続体関する。
【発明の効果】
【０００９】
本発明は、帯状のラベル基材と、このラベル基材の表面に形成した印刷層および剥離剤層と、このラベル基材の裏面に形成した粘着剤層と、を有し、前記ラベル基材に切れ部および非切れ部からなるミシン目を設け、このミシン目から切断することにより単葉の台紙なしラベル片を形成可能とした台紙なしラベル連続体であって、前記ミシン目の位置を表示する目印が付設された台紙なしラベル連続体としたので、簡単な構成で台紙なしラベル連続体に形成されたミシン目の位置を容易に認識することができるとともに、ミシン目から単葉の台紙なしラベル片に切断する作業の効率が良い台紙なしラベル連続体を得ることができる。
【発明を実施するための最良の形態】
【００１０】
次に、本発明にかかる台紙なしラベル連続体について図１乃至図６を用いて説明する。まず、本発明にかかる台紙なしラベル連続体の第１の実施の形態について図１乃至図３を用いて説明する。図１は、台紙なしラベル連続体を説明する説明図である。図２は、図１に示すＡ−Ａ線概略断面図である。図３は、第１の実施の形態の台紙なしラベル連続体図である。                
【００１１】
図１に示す台紙なしラベル連続体２０は、図２に示す帯状のラベル基材１と、このラベル基材１の表面に形成した印刷層２および剥離剤層３と、このラベル基材１の裏面に形成した粘着剤層４と、を有し、前記ラベル基材１に切れ部および非切れ部からなるミシン目５を設け、このミシン目５から切断することによりロール状に巻回した台紙なしラベル連続体２０より単葉の台紙なしラベル片１０を形成可能としている。
【００１２】
こうした台紙なしラベル連続体２０は、多くの場合において図１に示すように印刷が施される。図１では単葉の台紙なしラベル片１０を一つの単位として、「１、２、３、４」という４つの文字が連続して印刷されている例を示している。このように台紙なしラベル片１０を一つの単位として異なった文字が少数印刷されている場合は、台紙なしラベル片１０に分割するためのミシン目５の位置を感覚的につかみ易いが、同じ文字が多数印刷されている場合や複雑な模様が印刷されている場合など印刷のデザインによっては、そのデザインを見当としてミシン目５の位置を認識することが困難である。
【００１３】
また、図１のように単葉の台紙なしラベル片１０の形状としてほぼ正方形のラベル片とした場合は、台紙なしラベル片１０に分割するためのミシン目５の位置を感覚的につかみ易いが、台紙なしラベル連続体２０の引き出し方向（長さ方向）が長いラベル片である場合は、そのラベル形状を見当としてミシン目５の位置を認識することが困難である。
【００１４】
以下、各々の構成について説明する。ラベル基材１としては、たとえば、紙、合成樹脂フィルム、これらの積層体や複合材を用いることができる。また、紙や合成樹脂フィルムを基体とした感熱紙を用いてもよい。感熱紙とラベルプリンタとを用いることによって、文字、数字、バーコード等の可変情報を印字することができる。
【００１５】
印刷層２は、文字などの所定情報や模様などを印刷したもので、各種の印刷方式、乾燥形式、用途に応じたインキにより形成される。
【００１６】
剥離剤層３は、台紙なしラベル連続体２０をロール状に巻回した後に対接する粘着剤層４から剥離可能とするためにシリコーン系、長鎖アルキル系、フッ素系などの剥離剤のうち適宜の種類のものを粘着剤に合わせた剥離能力に調整して塗布し硬化させて形成される。また、剥離剤層３は剥離性を有するというその機能から、層の表面の凹凸が少なく平滑性が高いものとなっている。このように、層の表面の凹凸が少ないということは、光の拡散反射（乱反射、散乱）が少なく光沢度が高いものとなる。つまり、剥離剤層３を設けることにより光沢度が高まり、ミシン目５はより一層認識しにくくなるものである。
【００１７】
粘着剤層４は、エマルジョン系、ソルベント系、ホットメルト系の粘着剤を用いることができ、素材は、アクリル系、ゴム系など任意であり適宜な組合せの粘着剤を用いて形成される。
【００１８】
ミシン目５は、帯状の台紙なしラベル連続体２０の長さ方向において所定寸法位置、つまり、単葉の台紙なしラベル片１０に分割される位置ごとに、その幅方向の両端間に亘って形成される。このミシン目５は、前述のとおり切断を容易にするため、切断面をきれいにするため、ミシン目の切れ部に粘着剤が侵入しにくくするために、ミシン目の切れ部および非切れ部を短く形成している。この前記切れ部および非切れ部の長さは０．２〜０．５ｍｍとし、これらの長さを略同等とすることができる。これら切れ部および非切れ部の長さは、０．２ｍｍ未満ではラベル片１０の長さ方向の引っ張りに対して切れやすくなり、０．５ｍｍを超えると切り離し動作にともなう抵抗感が大きくなるとともに切れ部に粘着剤が侵入しやすくなる。
【００１９】
本発明にかかる第１の実施の形態の台紙なしラベル連続体２０は、帯状のラベル基材１と、このラベル基材１の表面に形成した印刷層２および剥離剤層３と、このラベル基材１の裏面に形成した粘着剤層４と、を有し、前記ラベル基材１に切れ部および非切れ部からなるミシン目５を設け、このミシン目５から切断することにより単葉の台紙なしラベル片１０を形成可能とした台紙なしラベル連続体２０であって、前記ミシン目５の位置を表示する目印が付設されているものである。    
【００２０】
図３に示す台紙なしラベル連続体２０は、図１で示した台紙なしラベル連続体２０のロール状に巻回された部分を省略したものであり、矢印Ｂは台紙なしラベル連続体２０の引き出し方向を示す。
【００２１】
図３ａに示す台紙なしラベル連続体２０は、前記ミシン目５の位置を表示する目印６が付設されているものである。詳しくは、ミシン目５の両端部から三角形状の尖端部を内向きにした目印６が印刷されている。この目印６は、三角形状、菱形状、矢印状など尖端部を有する形状のものが好適に用いられる。これら目印６の先端部がミシン目５に接するように付設するとミシン目５の位置がわかりやすいためである。また、ミシン目５に対応する目印６の数は少なくとも１つ以上付設されていれば良い。  
【００２２】
図３ｂに示す台紙なしラベル連続体２０は、前記ミシン目５の位置を表示する目印６が、前記ミシン目５より引き出し側に付設されているものである。詳しくは、台紙なしラベル連続体２０の引き出し方向を底辺として三角形状の尖端部を図示せぬロール側向きにした目印６が印刷されている。このように、目印６を引き出し側に付設すると、台紙なしラベル連続体２０を引き出していく際に、この目印６を目安として次にミシン目５が現れるのを予測することができる。これにより、台紙なしラベル連続体２０を余分に引き出し過ぎることを防止できる。なお、目印６の形状や数については前述のとおり任意にすることができる。
【００２３】
図３ｃに示す台紙なしラベル連続体２０は、前記ミシン目５の位置を表示する目印６が、前記ミシン目５に重なるように付設されているものである。詳しくは、ミシン目５に重ねて目印６が印刷されている。前記目印６はミシン目５に重ねて幅を広く付設することができる。この目印６の幅としては１〜５ｍｍの幅が好適に用いられ、その幅の中央にミシン目５が位置するように設けられる。目印６はその幅が１ｍｍ未満だと目印６が認識しにくく、目印６の幅が５ｍｍを超えると目印６に重なって設けられているミシン目５の位置が予測しにくくなる。このように目印６をミシン目５に重ねて幅を広く付設することによって、この目印６を目安として次にミシン目５が現れるのを予測することができるとともに、ミシン目５の確認を行うことができる。
【００２４】
図３ｄに示す台紙なしラベル連続体２０は、前記ミシン目５周辺部が白地ではなく印刷が施されているものである。詳しくは、「１、２、３、４」という文字部分を非印刷領域とし、前記文字部分以外を印刷領域としたものであり、ベタ白抜き印刷と呼ばれるものである。
【００２５】
上記ベタ白抜き印刷の場合は、たとえば、図３ｅに示す台紙なしラベル連続体２０のように、ミシン目５に重ねて目印６を非印刷領域とすることができる。このようなベタ白抜き印刷における目印６の形状、数および位置に関しては先述した図３ａ、図３ｂおよび図３ｃと同様にすることができ、目印６を非印刷領域として付設することができる。また、目印６はベタ印刷と異なった色で印刷して付設することができる。
【００２６】
上述のとおり前記目印６は、前記ラベル基材１の表面側に付設することにより、台紙なしラベル連続体２０に形成されたミシン目５の位置を容易に認識することができるとともに、ミシン目５から単葉の台紙なしラベル片１０に切断する作業の効率が良い台紙なしラベル連続体２０を得ることができる。
【００２７】
次に、本発明にかかる台紙なしラベル連続体の第２の実施の形態について図４乃至図６を用いて説明する。図４は、図１乃至図２に示す台紙なしラベル連続体の裏面図である。図５は、第２の実施の形態の台紙なしラベル連続体図である。図６は、図５に示すＣ−Ｃ線概略断面図である。
【００２８】
前述したとおり目印６は、前記ラベル基材１の表面側に印刷または非印刷またはベタ印刷とは異なった色で印刷して付設することにより、台紙なしラベル連続体２０に形成されたミシン目５の位置を容易に認識することができるが、その反面、いずれの付設方法でも前記ラベル基材１の表面側、つまりラベルの情報表示面に目印６が残ってしまう。  
【００２９】
本発明にかかる第２の実施の形態の台紙なしラベル連続体２０は、前記ミシン目５の位置を表示する目印６が、前記ラベル基材１の裏面側（台紙なしラベル連続体２０の裏面側）に付設されているものである。
【００３０】
図４に示す台紙なしラベル連続体２０は、図１乃至図２で示した台紙なしラベル連続体２０のロール状に巻回された部分を省略した裏面図であり、矢印Ｂは台紙なしラベル連続体２０の引き出し方向を示す。このように台紙なしラベル連続体２０の裏面は、ほとんどの場合において印刷が施されず粘着剤が表出した面となっている。
【００３１】
図５乃至図６に示す台紙なしラベル連続体２０は、前記ミシン目５の位置を表示する目印６が、前記ミシン目５に重なるように前記ラベル基材１の裏面側（台紙なしラベル連続体２０の裏面側）に付設されているものである。詳しくは、先述の図３ｃに示した目印６と同様に、ミシン目５に重ねて目印６が印刷されており、台紙なしラベル連続体２０の裏面側に付設されている点のみが異なるものである。このように台紙なしラベル連続体２０の裏面側に付設される目印６の形状、数、位置などは、先述の図３ａ、図３ｂおよび図３ｃに示した第１の実施の形態と同様にすることができる。
【００３２】
また、台紙なしラベル連続体２０の裏面側に任意の色でベタ印刷を施すこともでき、このようにベタ印刷を施した場合における目印６の形状、数および位置に関しても先述した図３ａ、図３ｂおよび図３ｃと同様にすることができ、目印６を非印刷領域として付設することができる。また、目印６はベタ印刷と異なった色で印刷して付設することができる。
【００３３】
上述のとおり前記目印６は、前記ラベル基材１の裏面側に付設することにより、前記ラベル基材１の表面側、つまりラベルの情報表示面に目印６を残すことなく、台紙なしラベル連続体２０に形成されたミシン目５の位置を容易に認識することができるとともに、ミシン目５から単葉の台紙なしラベル片１０に切断する作業の効率が良い台紙なしラベル連続体２０を得ることができる。
【００３４】
なお、本発明が上記実施の形態に限定されず、本発明の技術思想の範囲内において、実施の形態は適宜変更可能である。また、上記構成部材の数、位置、形状等は上記実施の形態に限定されず、本発明を実施する上で好適な数、位置、形状等にすることができる。  
【図面の簡単な説明】
【００３５】
【図１】台紙なしラベル連続体を説明する説明図である。
【図２】図１に示すＡ−Ａ線概略断面図である。
【図３ａ】第１の実施の形態の台紙なしラベル連続体図である。
【図３ｂ】第１の実施の形態の台紙なしラベル連続体図である
【図３ｃ】第１の実施の形態の台紙なしラベル連続体図である
【図３ｄ】第１の実施の形態の台紙なしラベル連続体図である
【図３ｅ】第１の実施の形態の台紙なしラベル連続体図である
【図４】図１乃至図２に示す台紙なしラベル連続体の裏面図である。
【図５】第２の実施の形態の台紙なしラベル連続体図である。
【図６】図５に示すＣ−Ｃ線概略断面図である。
【符号の説明】
【００３６】
１  ラベル基材
２  印刷層
３  剥離剤層
４  粘着剤層
５  ミシン目
６  目印
１０  台紙なしラベル片
２０  台紙なしラベル連続体
【図１】
2005215202.tif 000003
【図２】
2005215202.tif 000004
【図３ａ】
2005215202.tif 000005
【図３ｂ】
2005215202.tif 000006
【図３ｃ】
2005215202.tif 000007
【図３ｄ】
2005215202.tif 000008
【図３ｅ】
2005215202.tif 000009
【図４】
2005215202.tif 000010
【図５】
2005215202.tif 000011
【図６】
2005215202.tif 000012